(57)【要約】  携帯電子機器１００は、移動を伴う操作を検出するセンサ部１２０と、センサ素子により検出される移動操作に基づいて複数の選択肢から１の選択肢を選択する選択動作を制御する制御部１１０を備える。センサ部１２０は、センサ素子群Ｇ１、Ｇ２に区分けされて構成されており、制御部１１０は、移動を伴う操作の方向がセンサ素子群Ｇ１、Ｇ２で同一の場合に、センサ素子群Ｇ１、Ｇ２で選択動作を異ならせる。
2008023546.tif 000002
【特許請求の範囲】
【請求項１】
移動を伴う操作を検出する操作検出部と、
前記操作検出部により検出される移動操作に基づいて複数の選択肢から１の選択肢を選択する選択動作を制御する選択動作制御部と、を有し、
前記操作検出部は、前記移動操作の検出領域が複数の領域に区分けされて構成されており、
前記選択動作制御部は、前記複数の領域においてなされた前記移動を伴う操作の方向がそれぞれ同一である場合に、前記複数の領域に対応する前記選択動作を異ならせる、ことを特徴とする携帯電子機器。
【請求項２】
前記選択動作制御部は、前記複数の領域においてなされた前記移動を伴う操作の方向がそれぞれ同一である場合に、当該操作に係る移動の速度に応じて前記複数の領域に対応する前記選択動作を異ならせることを特徴とする請求項１に記載の携帯電子機器。
【請求項３】
前記操作検出部は、環状に配置されていると共に２つの領域に区分けされて構成され、前記環状に配置された操作検出部の中央領域には、前記選択された１の選択肢を少なくとも表示可能な表示部が設けられたことを特徴とする請求項１に記載の携帯電子機器。
【請求項４】
前記表示部は、前記複数の選択肢を表示すると共に、表示されている前記複数の選択肢のうち前記選択動作制御部により選択された１の選択肢を強調表示するよう構成されることを特徴とする請求項３に記載の携帯電子機器。
【請求項５】
前記環状に配置された前記操作検出部は、前記表示部に表示される表示の向きに対して左右対称に左領域と右領域の２つの領域に区分けされることを特徴とする請求項３に記載の携帯電子機器。
【請求項６】
前記環状に配置された前記操作検出部は、前記表示部に表示される表示の向きに対して上下対称に上領域と下領域の２つの領域に区分けされることを特徴とする請求項３に記載の携帯電子機器。
【請求項７】
前記操作検出部は、前記左領域における時計回りの移動を伴う操作と前記右領域における反時計回りの移動を伴う操作を第１の操作として検出し、かつ、前記左領域における反時計回りの移働を伴う操作と前記右領域における時計回りの移動を伴う操作を第２の操作として検出することを特徴とする請求項５に記載の携帯電子機器。
【請求項８】
前記操作検出部は、前記上領域における時計回りの移動を伴う操作と前記下領域における反時計回りの移動を伴う操作を第３の操作として検出し、かつ、前記上領域における反時計回りの移動を伴う操作と前記下領域における時計回りの移動を伴う操作を第４の操作として検出することを特徴とする請求項６に記載の携帯電子機器。
【請求項９】
前記表示部は、前記第１の操作の連続的操作に基づいて、前記選択動作制御部により連続的に選択される選択肢を前記複数の選択肢として前記表示の向きに対して下から上に順に並べて表示すると共に、前記第２の操作の連続的操作に基づいて、前記選択動作制御部により連続的に選択される選択肢を前記複数の選択肢として前記表示の向きに対して上から下に順に並べて表示することを特徴とする請求項７に記載の携帯電子機器。
【請求項１０】
前記表示部は、前記第３の操作の連続的操作に基づいて、前記選択動作制御部により連続的に選択される選択肢を前記複数の選択肢として前記表示の向きに対して左から右に順に並べて表示すると共に、前記第４の操作の連続的操作に基づいて、前記選択動作制御部により連続的に選択される選択肢を前記複数の選択肢として前記表示の向きに対して右から左に順に並べて表示することを特徴とする請求項８に記載の携帯電子機器。
【請求項１１】
前記複数の選択肢のうち前記選択動作制御部により選択された１の選択肢を確定するための確定手段が設けられていることを特徴とする請求項１に記載の携帯電子機器。
【発明の詳細な説明】
【技術分野】
【０００１】
本発明は、携帯電子機器に関し、より詳細には、移動を伴う操作を検出する操作検出部を設けた携帯電子機器に関する。
【背景技術】
【０００２】
従来、携帯電子機器の操作検出部として様々なインターフェースや構成が開発されてきた。例えば、携帯電子機器に回転ダイヤル式入力デバイスを設け、表示部上に表示させたカーソルを回転ダイヤル式入力デバイスの回転量に応じて移動させる技術がある（特許文献１参照）。【０００３】
また、物理的・機械的な回転を伴わない操作入力部としてタッチセンサを利用する技術が提案されている（特許文献２、３参照）。この提案技術は、複数のタッチセンサ素子を連続に配すると共に、個々のタッチセンサ素子からの接触検出に基づいて移動を伴う操作を検出し、その検出結果に応じ、複数の選択肢から１つの選択肢を選択する選択動作制御をしようとするものである。
【特許文献１】特開２００３−２８０７９２号公報
【特許文献２】特開２００５−５２２７９７号公報
【特許文献３】特開２００４−３１１１９６号公報
【発明の開示】
【発明が解決しようとする課題】
【０００４】
しかし、従来の提案技術においては、連続的に配された複数の全センサ素子は、１つの管理体系下で管理されているので、所定の方向の移動操作に基づいては単一の選択動作制御しかできない。【０００５】
図１３に、従来のタッチセンサ素子およびその選択動作制御例を示す。図に示すように、円環状に設けたセンサ素子を、例えば、矢印ＡＲのように指でなぞって時計回りの移動操作を行った場合には、同図（ｂ）の表示部の項目ＬＳ１−ＬＳ８を下方にスクロールされ、反時計回りの移動操作を行った場合には、上方にスクロールされる。つまり、所定の回転方向への移動操作に基づいては同一方向へのスクロールしかされない。即ち、所定方向への移動操作に基づいては、単一の選択動作制御しかされない構成となっており、従来のタッチセンサ素子は、操作性の幅が狭いという問題があった。【０００６】
本発明は、このような問題点に鑑みてなされたものであり、本発明の目的は、所定方向への移動を伴う操作に基づいて複数の選択動作制御ができ、操作性の幅を広げることができる携帯電子機器を提供することにある。
【課題を解決するための手段】
【０００７】
上記目的を達成するため、本発明の携帯電子機器は、移動を伴う操作を検出する操作検出部と、前記操作検出部により検出される移動操作に基づいて複数の選択肢から１の選択肢を選択する選択動作を制御する選択動作制御部とを有し、前記操作検出部は、前記移動操作の検出領域が複数の領域に区分けされて構成されており、前記選択動作制御部は、前記複数の領域においてなされた前記移動を伴う操作の方向がそれぞれ同一である場合に、前記複数の領域に対応する前記選択動作を異ならせることを特徴とする。【０００８】
前記選択動作制御部は、前記複数の領域においてなされた前記移動を伴う操作の方向がそれぞれ同一である場合に、当該操作に係る移動の速度に応じて前記複数の領域に対応する前記選択動作を異ならせることが好ましく、前記操作検出部は、環状に配置されていると共に２つの領域に区分けされて構成され、前記環状に配置された操作検出部の中央領域には、前記選択された１の選択肢を少なくとも表示可能な表示部が設けられたことが好ましく、また、前記表示部は、前記複数の選択肢を表示すると共に、表示されている前記複数の選択肢のうち前記選択動作制御部により選択された１の選択肢を強調表示するよう構成されることが好ましい。【０００９】
前記環状に配置された前記操作検出部は、前記表示部に表示される表示の向きに対して左右対称に左領域と右領域の２つの領域に区分けされることが好ましく、また、前記操作検出部は、前記左領域における時計回りの移動を伴う操作と前記右領域における反時計回りの移動を伴う操作を第１の操作として検出し、かつ、前記左領域における反時計回りの移働を伴う操作と前記右領域における時計回りの移動を伴う操作を第２の操作として検出することが好ましい。また、前記表示部は、前記第１の操作の連続的操作に基づいて、前記選択動作制御部により連続的に選択される選択肢を前記複数の選択肢として前記表示の向きに対して下から上に順に並べて表示すると共に、前記第２の操作の連続的操作に基づいて、前記選択動作制御部により連続的に選択される選択肢を前記複数の選択肢として前記表示の向きに対して上から下に順に並べて表示することが好ましい。【００１０】
または、前記環状に配置された前記操作検出部は、前記表示部に表示される表示の向きに対して上下対称に上領域と下領域の２つの領域に区分けされることが好ましく、また、前記操作検出部は、前記上領域における時計回りの移動を伴う操作と前記下領域における反時計回りの移動を伴う操作を第３の操作として検出し、かつ、前記上領域における反時計回りの移動を伴う操作と前記下領域における時計回りの移動を伴う操作を第４の操作として検出することが好ましい。また、前記表示部は、前記第３の操作の連続的操作に基づいて、前記選択動作制御部により連続的に選択される選択肢を前記複数の選択肢として前記表示の向きに対して左から右に順に並べて表示すると共に、前記第４の操作の連続的操作に基づいて、前記選択動作制御部により連続的に選択される選択肢を前記複数の選択肢として前記表示の向きに対して右から左に順に並べて表示することが好ましい。【００１１】
また、本発明は、前記複数の選択肢のうち前記選択動作制御部により選択された１の選択肢を確定するための確定手段が設けられていることが好ましい。
【発明の効果】
【００１２】
本発明は、区分けされた領域毎で移動操作の方向が同一の場合に、複数の領域で選択動作制御を異ならせることができるので、操作性の幅を広げることができる。
【図面の簡単な説明】
【００１３】
【図１】本発明を適用した携帯電話端末の基本的な構成を示すブロック図である。
【図２】センサ素子を筐体に実装した携帯電話端末の斜視図である。
【図３】本発明を適用した携帯電話端末の詳細な機能ブロック図である。
【図４】本発明による携帯電話端末のタッチセンサ機能のより詳細な構成を示すブロック図である。
【図５】本発明による携帯電話端末の構成要素の配置を示す平面図である。
【図６】本発明による携帯電話端末の構成要素の配置を示す平面図である。
【図７】図５および図６に示した携帯電話端末の構成要素の分解斜視図である。
【図８】本発明による携帯電話端末における各センサ素子からの接触検知データの処理を説明する概略ブロック図である。
【図９】センサ素子群が左右に並べて配置されているときに、センサ素子上をユーザがなぞった場合のサブ表示部の応答を説明する図である。
【図１０】センサ素子群が左右に並べて配置されているときに、センサ素子上をユーザがなぞった場合のサブ表示部の応答を説明する図である。
【図１１】センサ素子群が上下に並べて配置されているときに、センサ素子上をユーザがなぞった場合のサブ表示部の応答を説明する図である。
【図１２】センサ素子群が上下に並べて配置されているときに、センサ素子上をユーザがなぞった場合のサブ表示部の応答を説明する図である。
【図１３】従来のセンサ素子およびその制御例を説明する図である。
【発明を実施するための最良の形態】
【００１４】
本発明の実施の形態について図面を参照して説明する。以下、携帯電子機器の典型例として携帯電話端末に本発明を適用して説明する。図１は、本発明を適用した携帯電話端末の基本的な構成を示すブロック図である。図１に示す携帯電話端末１００は、制御部（選択動作制御部）１１０、センサ部（操作検出部）１２０、表示部１３０、記憶部（フラッシュメモリなど）１４０、情報処理機能部１５０、電話機能部１６０、キー操作部ＫＥＹおよびスピーカＳＰ、さらに、図示しないＣＤＭＡ通信網に接続して通信を行う通信部ＣＯＭにより構成されている。さらに、センサ部１２０は、複数のセンサ素子（例えば、その検知部を機器筐体の外面に設けてあり、指などの物体の接触・近接を検出する接触センサ）を含んだセンサ素子群を、用途に応じてｎ個、即ち、第１のセンサ素子群Ｇ１、第２のセンサ素子群Ｇ２および第ｎのセンサ素子群Ｇ３を含み、記憶部１４０は、保存領域１４２、外部データ保存領域１４４から構成されている。制御部１１０および情報処理機能部１５０は、ＣＰＵなどの演算手段およびソフトウェアモジュールなどから構成されることが好ましい。なお、後述するシリアルインターフェース部ＳＩ、シリアルインターフェース部ＳＩを介して制御部１１０に接続されるＲＦＩＤモジュールＲＦＩＤや赤外線通信部ＩＲ、さらにはカメラ２２０やライト２３０の他、マイクＭＩＣ、ラジオモジュールＲＭ、電源ＰＳ、電源コントローラＰＳＣＯＮ等が制御部１１０に接続されるが、ここでは簡略化のため省略する。【００１５】
図１のブロック図における各ブロックの機能を簡単に説明する。制御部１１０は、センサ部１２０によりユーザの指などによる物体の接触を検出し、記憶部１４０の保存領域１４２に検出した情報を格納し、情報処理機能部１５０により格納された情報の処理を制御する。そして、処理結果に応じた情報を表示部１３０に表示させる。さらに制御部１１０は、通常の通話機能のための電話機能部１６０、キー操作部ＫＥＹおよびスピーカＳＰを制御する。なお、表示部１３０は、サブ表示部ＥＬＤおよび図示しないメイン表示部（携帯電話端末１００が閉状態にて隠れ、開状態にて露出する位置に設けられる表示部）を含んで構成される。【００１６】
図２は、センサ素子を筐体に実装した携帯電話端末の斜視図である。携帯電話端末１００は、図２に示すような閉状態のほか、ヒンジ部を回動、スライドさせて開状態を形成することも可能であって、タッチセンサ部２１０は、閉状態においても操作可能な位置に設けられている。図２（ａ）は携帯電話端末１００の外観を示す斜視図である。携帯電話端末１００は、タッチセンサ部２１０（外観上、センサ部１２０、即ちセンサ素子群Ｇ１、Ｇ２を覆うパネルＰＮＬが見えている（図６にて後述））、カメラ２２０、およびライト２３０を備える。図２（ｂ）は、タッチセンサの動作の説明のために、パネルＰＮＬを省略し、センサ素子とサブ表示部ＥＬＤ周辺のみの配置を表示した携帯電話端末１００の斜視図である。図のように、センサ素子Ｌ１〜Ｌ４およびＲ１〜Ｒ４が、サブ表示部ＥＬＤの周囲に沿って環状に左右に並べて配置されている。なお、後述するように、センサ素子Ｌ１〜Ｌ４およびＲ１〜Ｒ４を環状に上下に並べて配置するようにしても良い。センサ素子Ｌ１〜Ｌ４は第１のセンサ素子群（領域）Ｇ１を構成し、センサ素子Ｒ１〜Ｒ４は第２のセンサ素子群（領域）Ｇ２を構成している。第１のセンサ素子群Ｇ１と第２のセンサ素子群Ｇ２は、離間部ＳＰ１、ＳＰ２を隔てて区分けされる。第１のセンサ素子群Ｇ１のレイアウトに対して、第２のセンサ素子群Ｇ２は、サブ表示部ＥＬＤを挟み、選択候補項目の並べられている方向を中心線とする線対称なレイアウトを持つ。このように、センサ素子を２つ素子群に分けることにより、複雑になりすぎず、感覚的に理解のしやすい操作環境が提供される。また、本構成ではサブ表示部ＥＬＤに有機ＥＬディスプレイが用いられているが、例えば液晶表示ディスプレイ等が用いられていても良い。また、本構成ではセンサ素子として静電容量式の接触センサが用いられているが、薄膜抵抗式の接触センサが用いられていても良い。また、メカニカルスイッチが並べて配置されるようにしても良い。【００１７】
図２の携帯電話端末１００において、サブ表示部ＥＬＤは、携帯電話端末１００の用途に応じた情報を表示する。例えば、携帯電話端末１００を音楽プレーヤーとして用いる場合、サブ表示部ＥＬＤには演奏できる曲目が表示される。曲名およびアーティスト名の組で１つの項目、即ち、「選択候補項目（選択肢）」となる。ユーザは、操作入力部としてタッチセンサ部２１０を操作してセンサ素子Ｌ１〜Ｌ４、Ｒ１〜Ｒ４の静電容量を変化させると、制御部１１０は、サブ表示部ＥＬＤに表示された項目や操作対象領域を移動させて曲目の選択を行う（選択動作制御）。このときタッチセンサ部２１０は、図２のように、サブ表示部ＥＬＤの周囲にセンサ素子が並べられる構成とすれば、小型な携帯電子機器の外部筐体における実装部分を大きく占有せずに済み、かつ、ユーザは、サブ表示部ＥＬＤの表示を見ながらセンサ素子を操作することができる。【００１８】
図３は、本発明を適用した携帯電話端末１００の詳細な機能ブロック図である。言うまでもないが、図３に示す各種ソフトウエアは、記憶部１４０に記憶されるプログラムに基づいて、同じく記憶部１４０上にワークエリアを設けた上で、制御部１１０が実行することにより動作される。図に示すように、携帯電話端末の諸機能は、ソフトウェアブロックとハードウェアブロックとに分かれる。ソフトウェアブロックは、フラグ記憶部ＦＬＧを持つベースアプリＢＡ、サブ表示部表示アプリＡＰ１、ロックセキュリティアプリＡＰ２、その他アプリＡＰ３、およびラジオアプリＡＰ４から構成される。ソフトウェアブロックは、さらに、赤外線通信アプリＡＰＩＲおよびＲＦＩＤアプリＡＰＲＦも含む。これらの各種アプリ（アプリケーションソフトウェア）がハードウェアブロックの各種ハードウェアを制御するときに、赤外線通信ドライバＩＲＤ、ＲＦＩＤドライバＲＦＤ、オーディオドライバＡＵＤ、ラジオドライバＲＤ、およびプロトコルＰＲをドライバとして使用する。例えば、オーディオドライバＡＵＤ、ラジオドライバＲＤ、およびプロトコルＰＲは、それぞれ、マイクＭＩＣ、スピーカＳＰ、通信部ＣＯＭ、およびラジオモジュールＲＭを制御する。ソフトウェアブロックは、さらに、ハードウェアの操作状態を監視・検出するキースキャンポートドライバＫＳＰも含み、タッチセンサドライバ関連検出、キー検出、折り畳み式やスライド式などの携帯電話端末の開閉を検出する開閉検出、イヤホン着脱検出などを行う。【００１９】
ハードウェアブロックは、ダイヤルキーや後述するタクトスイッチＳＷ１（確定手段の１つ）、ＳＷ２（確定手段の１つ）を含む各種ボタンなどを含むキー操作部ＫＥＹ、ヒンジ部の動作状況などに基づき開閉を検出する開閉検出デバイスＯＣＤ、機器本体付属のマイクＭＩＣ、着脱可能なイヤホンＥＡＰ、スピーカＳＰ、通信部ＣＯＭ、ラジオモジュールＲＭ、シリアルインターフェース部ＳＩ、および切替制御部ＳＷＣＯＮから構成される。切替制御部ＳＷＣＯＮは、ソフトウェアブロックの該当ブロックからの指示に従って、赤外線通信部ＩＲ、ＲＦＩＤモジュール（無線識別タグ）ＲＦＩＤ、タッチセンサモジュールＴＳＭ（センサ部１２０と、発振回路などのセンサ部１２０を駆動する上で必要な部品一式をモジュール化したもの）のうちのいずれか１つを選択して当該信号をシリアルインターフェース部ＳＩが拾い上げるように選択対象ハードウェア（ＩＲ、ＲＦＩＤ、ＴＳＭ）を切り替える。電源ＰＳは、電源コントローラＰＳＣＯＮを介して選択対象ハードウェア（ＩＲ、ＲＦＩＤ、ＴＳＭ）に電力を供給する。【００２０】
図４は、本発明による携帯電話端末１００のタッチセンサ機能のより詳細な構成を示すブロック図である。図に示すように、本携帯電話端末１００は、タッチセンサドライバブロックＴＤＢ、タッチセンサベースアプリブロックＴＳＢＡ、デバイス層ＤＬ、割込ハンドラＩＨ、キューＱＵＥ、ＯＳタイマーＣＬＫ、各種アプリＡＰ１〜ＡＰ３を備える。ここでタッチセンサベースアプリブロックＴＳＢＡは、ベースアプリＢＡおよびタッチセンサドライバ上位アプリケーションプログラムインターフェースＡＰＩを備え、タッチセンサドライバブロックＴＤＢは、タッチセンサドライバＴＳＤおよび結果通知部ＮＴＦを備える。また、デバイス層ＤＬは、切替制御部ＳＷＣＯＮ、切替部ＳＷ、シリアルインターフェース部ＳＩ、赤外線通信部ＩＲ、ＲＦＩＤモジュールＲＦＩＤおよびタッチセンサモジュールＴＳＭを備え、割込ハンドラＩＨは、シリアル割込み監視部ＳＩＭＯＮおよび確認部ＣＮＦを備える。【００２１】
次に、各ブロックの機能を図を参照して説明する。タッチセンサベースアプリブロックＴＳＢＡにおいて、ベースアプリＢＡと、タッチセンサドライバ上位アプリケーションプログラムインターフェースＡＰＩとの間では、タッチセンサを起動するか否かのやり取りが行われる。ベースアプリＢＡは、サブ表示部用のアプリケーションであるサブ表示部表示アプリＡＰ１、セキュリティ保護用に携帯電話端末１００にロックをかけるアプリケーションであるロックセキュリティアプリＡＰ２、その他のアプリケーションＡＰ３のベースとなるアプリケーションであり、ベースアプリＢＡに前記各アプリからタッチセンサの起動が要求された場合に、タッチセンサドライバ上位アプリケーションプログラムインターフェースＡＰＩにタッチセンサの起動を要求する。なお、サブ表示部とは、各図に示すサブ表示部ＥＬＤであって、本実施例における携帯電話端末１００において、環状に配置されたセンサ素子群の中央領域に設けられた表示部のことを指す。【００２２】
起動の要求を受け、タッチセンサドライバ上位アプリケーションプログラムインターフェースＡＰＩは、ベースアプリＢＡ内のアプリケーションの起動を管理するブロック（図示せず）に、タッチセンサの起動が可能か否かの確認を行う。即ち、アプリケーションの選択が実行されていることを示すサブ表示部ＥＬＤの点灯、またはＦＭラジオその他の携帯電話端末１００に付属するアプリケーション等の、あらかじめタッチセンサの起動が不可能と設定されたアプリケーションの起動を示すフラグの有無を確認する。その結果、タッチセンサの起動が可能と判断された場合、タッチセンサドライバ上位アプリケーションプログラムインターフェースＡＰＩは、タッチセンサドライバＴＳＤにタッチセンサモジュールＴＳＭの起動を要求する。即ち、実質的には電源コントローラＰＳＣＯＭを介した電源ＰＳからタッチセンサモジュールＴＳＭへの電源供給を開始する。【００２３】
起動が要求されると、タッチセンサドライバＴＳＤは、デバイス層ＤＬ内のシリアルインターフェース部ＳＩに要求して、シリアルインターフェース部ＳＩにおけるタッチセンサドライバＴＳＤとのポートを開くように制御する。【００２４】
その後、タッチセンサドライバＴＳＤは、タッチセンサのセンシング結果の情報を有する信号（以下、接触信号と記す）を、タッチセンサモジュールＴＳＭが有する内部クロックによる２０ｍｓの周期で、シリアルインターフェース部ＳＩに出力されるように制御する。【００２５】
接触信号は、上述した各センサ素子Ｌ１〜Ｌ４およびＲ１〜Ｒ４の８つのセンサ素子それぞれに対応した８ビット信号で出力されている。即ち、各センサ素子が接触を検知したときには、この接触を検知したセンサ素子に対応するビットに、接触検知を表す「フラグ：１」を立てた信号であって、これらのビット列により接触信号が形成される。つまり、接触信号には、「どのセンサ素子」が「接触／非接触のいずれか」を示す情報が含まれる。【００２６】
割込ハンドラＩＨにおけるシリアル割込み監視部ＳＩＭＯＮは、シリアルインターフェース部ＳＩに出力された接触信号を取り出す。ここで確認部ＣＮＦが、シリアルインターフェース部ＳＩにおいてあらかじめ設定された条件に従い、取り出した接触信号のＴｒｕｅ／Ｆａｌｓｅの確認を行い、Ｔｒｕｅ（真）な信号のデータのみをキューＱＵＥに入れる（信号のＴｒｕｅ／Ｆａｌｓｅの種別については後述する。）。また、シリアル割込み監視部ＳＩＭＯＮは、タクトスイッチの押下の発生などのタッチセンサ起動中のシリアルインターフェース部ＳＩの他の割込み事象の監視も行う。【００２７】
なお、監視部ＳＩＭＯＮは、検出した接触が最初の接触であった場合には「プレス」を意味する信号を接触信号の前にキューＱＵＥに入れる（キューイングする）。その後、オペレーションシステムの有するＯＳタイマーＣＬＫによるクロック４０ｍｓ周期で接触信号の更新を行い、所定回数接触を検出しなかった場合には「リリース」を意味する信号をキューＱＵＥに入れる。このことにより、接触開始からリリースまでのセンサ素子間での接触検出の移動を監視することができるようになる。なお、「最初の接触」とは、キューＱＵＥにデータのない状態、或いは、直近の入力データが「リリース」である場合に「フラグ：１」を有する信号が発生する事象を指す。これらの処理により、タッチセンサドライバＴＳＤは、「プレス」から「リリース」の区間のセンサ素子の検出状態を知ることができる。【００２８】
同時に、監視部ＳＩＭＯＮは、タッチセンサから出力される接触信号がＦａｌｓｅとなる条件を満たす信号であった場合に、「リリース」を意味する信号を擬似的に生成してキューＱＵＥに入れる。ここでＦａｌｓｅ（偽）となる条件としては、「非連続な２つのセンサ素子で接触を検出した場合」、「タッチセンサ起動中に割込みが生じた場合（例えば、メール着信等の通知でサブ表示部ＥＬＤの点灯／消灯状態が変更された場合）」、「タッチセンサ起動中にキー押下が発生した場合」、または後述するように「複数のセンサ素子群をまたぐ接触を検出した場合」などが設定される。【００２９】
また、監視部ＳＩＭＯＮは、例えば、センサ素子Ｒ２とＲ３といった隣接する２つのセンサ素子で同時に接触を検出した場合には、単一の素子を検出した場合と同様に、接触を検出した素子に対応するビットにフラグが立った接触信号をキューＱＵＥに入れる。【００３０】
タッチセンサドライバＴＳＤは、４５ｍｓ周期でキューＱＵＥから接触信号を読み出し、読み出した接触信号によって、接触を検知した素子を判定する。タッチセンサドライバＴＳＤは、キューＱＵＥから順次に読み出した接触信号により判定した接触の変化、および、検知した素子との位置関係を考慮して、「接触スタートの素子」、「接触の移動方向（時計回り／反時計回り）の検出」、および「プレスからリリースまでの移動距離」の判定を行う。タッチセンサドライバＴＳＤは、判定された結果を結果通知部ＮＴＦに書き込むとともに、ベースアプリＢＡに結果を更新するように通知する。【００３１】
接触の移動方向および移動距離の判定は、隣接するセンサ素子の検出および各センサ素子の検出の組合せによって行われるが、これには種々の手法（判定ルール）を適用することができる。例えば、ある１つのセンサ素子（例えばＲ２）から隣接するセンサ素子（この例の場合、Ｒ３）へと接触が遷移すると、その方向に、１素子分（サブ表示部における選択候補項目の１項目分）の移動とすると判定する。【００３２】
前述のように、結果の更新がタッチセンサドライバＴＳＤによってベースアプリＢＡに通知されると、ベースアプリＢＡは結果通知部ＮＴＦを確認し、結果通知部ＮＴＦに通知された情報の内容を、さらに上位のアプリケーションであってタッチセンサ結果を要するアプリケーション（サブ表示部におけるメニュー画面表示のための表示部表示アプリＡＰ１、およびロック制御のためのロックセキュリテイアプリＡＰ２など）に通知する。【００３３】
図５および図６は、本発明による携帯電話端末１００の特にタッチセンサ部２１０の構成要素の配置を示す平面図である。作図および説明の便宜上、一部の構成要素のみを図示および説明する。図５は、センサ素子が、サブ表示部ＥＬＤの周囲に沿って環状に、かつ、サブ表示部ＥＬＤに表示される表示の向きに対して左右に並べて配置されている場合を示しており、図６は、センサ素子が、サブ表示部の周囲に沿って環状に、かつ、サブ表示部ＥＬＤに表示される表示の向きに対して上下に並べて配置されている場合を示している。そして、図５および図６に示すように、有機ＥＬ素子からなる表示部ＥＬＤの周囲に沿って円環状のパネルＰＮＬが配されている。パネルＰＮＬは、下部に設けるセンサ素子の感度に影響を与えないように十分に薄くすることが好適である。パネルＰＮＬの下部には、人体の指の接触／近接を検知できる静電容量型の８個のセンサ素子Ｌ１〜Ｌ４、Ｒ１〜Ｒ４をほぼ環状に連続的に配置してある。４つのセンサ素子Ｌ１〜Ｌ４で第１のセンサ素子群Ｇ１、４つのセンサ素子Ｒ１〜Ｒ４で第２のセンサ素子群Ｇ２をそれぞれ構成している。各センサ素子群内の隣接するセンサ素子の間には、隣接するセンサ素子同士で接触検出機能に干渉しないように、クリアランス（隙間）が設けられている。なお、干渉しないタイプのセンサ素子を用いる場合にはこのクリアランスは不要である。第１のセンサ素子群Ｇ１の一端に位置するセンサ素子Ｌ４と、第２のセンサ素子群Ｇ２の一端に位置するセンサ素子Ｒ１との間には、前記クリアランスより大きいクリアランス（例えば、２倍以上の長さ）である離間部ＳＰ１が設けられている。第１のセンサ素子群Ｇ１の他端に位置するセンサ素子Ｌ１と、第２のセンサ素子群Ｇ２の他端に位置するセンサ素子Ｒ４との間にも、離間部ＳＰ１と同様に離間部ＳＰ２が設けられている。このような離間部ＳＰ１、ＳＰ２によって、第１のセンサ素子群Ｇ１と第２のセンサ素子群Ｇ２とが別個に機能される場合に、互いに指が干渉することが抑制される。また、離間部ＳＰ１、ＳＰ２によって、２つのセンサ素子群の境界が明確になり、操作性が向上する。【００３４】
第１のセンサ素子群Ｇ１の各センサ素子は円弧状に配置されているが、この円弧の中央、即ち、センサ素子Ｌ２およびＬ３の中間の下部には、タクトスイッチＳＷ１の中心が配置され、第１のセンサ素子群Ｇ１の領域で選択肢を確定する動作が行えるようになっている。同様に、第２のセンサ素子群Ｇ２の各センサ素子で形成される円弧の中央、即ち、センサ素子Ｒ２およびＲ３の中間の下部には、タクトスイッチＳＷ２の中心が配置され、第２のセンサ素子群Ｇ２の領域で選択肢を確定する動作が行えるようになっている（図７参照）。このように、方向性を連想させない位置であるセンサ素子群の配置方向のほぼ中央にタクトスイッチを配置することによって、タクトスイッチがセンサ素子上におけるユーザによる指の方向性を持った移動を伴う操作による方向指示とは直接関係しない操作を行うスイッチであることを、ユーザは容易に把握することができる。即ち、センサ素子群の配置方向の中央ではなく端部（例えばＬ１やＬ４）にタクトスイッチが配置されていると、タクトスイッチは端部側向きの方向性を連想させるため、タッチセンサによる移動動作を継続するなどのために長押しする「スイッチ」であるという誤解をユーザに与え易い。一方、本発明の構成のように、センサ素子群の配置方向の中央にタクトスイッチが配置されていれば、このような誤解が生じるおそれが低減され、より快適なユーザインターフェースが提供される。また、センサ素子の下方にタクトスイッチを配して機器外面に露出していないため、機器の外観上も露出する操作部の点数を削減でき、複雑な操作を要さない様なスマートな印象となる。なお、タクトスイッチをパネルＰＮＬ下部以外の箇所に設ける場合には、機器筐体に別途貫通孔を設ける必要があるが、貫通孔を設ける位置によっては筐体強度の低下が生じ得る。本構成では、パネルＰＮＬ、および、センサ素子の下方にタクトスイッチを配することによって、新たな貫通孔を設ける必要がなくなり、筐体強度の低下も抑制される。【００３５】
図５では、ユーザが、例えば、指で順次にセンサ素子Ｌ１、Ｌ２、Ｌ３、Ｌ４を円弧状に上方向に向かってなぞると、サブ表示部ＥＬＤに表示されている選択候補項目（この場合は、音、表示、データ、カメラ）のうち選択対象領域（ここでは図示しないが、反転表示や別のカラーでの強調表示など）として表示されている項目が上方向の項目に順次変化したり、選択候補項目が上方向にスクロールしたりする。図６では、ユーザが、例えば、指で順次にセンサ素子Ｌ１、Ｌ２、Ｌ３、Ｌ４を円弧状に右方向に向かってなぞると、表示部ＥＬＤに表示されている選択候補項目（この場合は、音、表示、データ、カメラ）のうち選択対象領域（ここでは図示しないが、反転表示や別のカラーでの強調表示など）として表示されている項目が右方向の項目に順次変化したり、選択候補項目が右方向にスクロールしたりする。このように、選択候補項目のうちの１つを選択対象領域（反転表示や別のカラーでの強調表示など）で視認できるため、操作性が向上する。【００３６】
また、所望の選択候補項目が選択対象領域として表示されているときに、ユーザは、パネルＰＮＬおよびセンサ素子Ｌ２，Ｌ３越しにタクトスイッチＳＷ１を押下して選択肢を確定する選択確定動作を行ったり、タクトスイッチＳＷ２を押下して表示自体を別画面に変更したりすることができる。即ち、パネルＰＮＬは、タクトスイッチＳＷ１、ＳＷ２を押下するのに十分な可撓性を持ち、あるいはわずかに傾倒可能に機器筐体に取り付けられ、タクトスイッチＳＷ１、ＳＷ２に対する押し子の役も持っている。【００３７】
図７は、図２、図５および図６に示した携帯電話端末の構成要素、特にタッチセンサ部２１０の分解斜視図である。図に示すように、端末筐体の外面をなす第１の層には、パネルＰＮＬおよび表示部ＥＬＤが配される。第１の層のパネルＰＮＬの下方に位置する第２の層には、センサ素子Ｌ１〜Ｌ４、Ｒ１〜Ｒ４が配される。第２の層のセンサ素子Ｌ２、Ｌ３の間の下方、および、センサ素子Ｒ２、Ｒ３の間の下方に位置する第３の層には、タクトスイッチＳＷ１、ＳＷ２がそれぞれ配される。【００３８】
図８は、本発明による携帯電話端末における各センサ素子からの接触検知データの処理を説明する概略ブロック図である。説明の簡易化のため、センサ素子Ｒ１〜Ｒ４についてのみ示してあるが、センサ素子Ｌ１〜Ｌ４についても同様である。センサ素子Ｒ１〜Ｒ４の各々には、高周波が印加されており、一定の浮遊容量の変化を考慮してキャリブレーションされて認識された高周波状態が基準として設定されており、それぞれ、前処理部３００（Ｒ１用前処理部３００ａ、Ｒ２用前処理部３００ｂ、Ｒ３用前処理部３００ｃ、Ｒ４用前処理部３００ｄ）にて、指の接触などによる静電容量の変化に基づく高周波状態の変動が検出されると、Ａ／Ｄ変換器３１０（Ｒ１用Ａ／Ｄ変換器３１０ａ、Ｒ２用Ａ／Ｄ変換器３１０ｂ、Ｒ３用Ａ／Ｄ変換器３１０ｃ、Ｒ４用Ａ／Ｄ変換器３１０ｄ）へと送信され、接触検出を示すデジタル信号に変換される。デジタル化された信号は制御部３２０へと送信されてセンサ素子群としてのまとまった信号の集合として、記憶部３３０に信号の保持する情報として格納される。その後、シリアルインターフェース部、割り込みハンドラにこの信号が送出され、割り込みハンドラにて、タッチセンサドライバが読み取り可能な信号に変換された後、変換後の信号をキューに入れる。なお、制御部３２０は、記憶部３３０に格納した情報に基づき、隣接したセンサ素子の２つ以上で接触を検出した時点で方向の検出を行う。【００３９】
以下、図９〜図１２において、センサ素子の操作に対する表示部の応答について説明する。図９〜図１２において、（ａ）は携帯電話端末に実装したサブ表示部ＥＬＤと、その周辺に沿って並べて配置したセンサ素子のみを、説明の簡易化のために示した概略図、（ｂ）は時間推移に伴い検知されたセンサ素子を示す図、（ｃ）は検知したセンサ素子に応じたサブ表示部ＥＬＤの操作対象領域の位置変化を示す図である。これらの図の（ａ）において、センサ素子、センサ素子群および離間部には図２（ｂ）と同様の符号を付している。また（ｃ）のサブ表示部ＥＬＤの表示において、ＴＩはサブ表示部が表示する項目リストのタイトル、ＬＳ１〜ＬＳ４は選択候補項目（例えば、スクロール可能な幾つかの行）を示す。また（ｃ）のサブ表示部において、操作の対象となる状態にある項目は、現在の操作対象領域であることが識別できるように、当該項目にカーソルを配置する、或いは、項目自体を反転表示などで強調表示する。これらの図では、操作対象領域として表示されている項目にはハッチングを施して強調して示している。説明の便宜上、「移動対象」を操作対象領域のみで説明するが、項目自体を移動（スクロール）させる場合も同様の原理でサブ表示部は動作する。【００４０】
図９および図１０は、センサ素子群が、サブ表示部の周囲に沿って左右に並べて配置されているときに、センサ素子上をユーザがなぞった場合のサブ表示部の応答を説明する図である。図９（ａ）において矢印ＡＲ１に示す上から下の向き（時計回り方向）に、例えば指などの接触手段を用いて各センサ素子上を連続的になぞると、制御部１１０は、（ｂ）で示す時間推移で接触を移動を伴う操作として検知する。この場合は、センサ素子Ｒ１、Ｒ２、Ｒ３、Ｒ４の順に操作が検知される。このＲ１からＲ４までの連続した接触は、隣接したセンサ素子の２つ以上で検知しているため、方向の検出が行われ、隣接したセンサ素子を遷移した回数とその方向に応じて、操作対象領域がサブ表示部ＥＬＤに表示したリスト上を移動する。この場合は、（ｃ）で示したように、操作対象領域は、初期位置の項目ＬＳ１から項目ＬＳ４まで下方へ項目を３つ分移動する。なお、操作対象領域は、ハッチングで表してあるが、ハッチングピッチの狭いものが初期位置であり、ハッチングピッチの広いものが移動後の位置である。このように、本構成によれば、ユーザの「下方への指の指示動作」と同じように、サブ表示部の「操作対象領域が下方に移動」するため、ユーザはあたかも自己の指で操作対象領域を自在に移動させているように感じることになる。即ち、ユーザの意図した通りの操作感覚が得られる。【００４１】
同様に、同図（ａ）において矢印ＡＲ２に示す上から下の向き（反時計回り方向）にセンサ素子がなぞられたとすると、（ｂ）で示したように各センサ素子のうちセンサ素子Ｌ４、Ｌ３、Ｌ２、Ｌ１がこの順に接触を移動を伴う操作として検知する。この場合の接触は、矢印ＡＲ１と同じく上から下へ、隣接するセンサ素子を３つ遷移する接触のため、（ｃ）のように下方に向かって項目ＬＳ１から項目ＬＳ４まで操作対象領域が３つ分移動する。【００４２】
図１０（ａ）において矢印ＡＲ１に示す下から上の向き（反時計回り方向）にセンサ素子がなぞられたとすると、（ｂ）で示したように各センサ素子のうちセンサ素子Ｒ４、Ｒ３、Ｒ２、Ｒ１がこの順に接触を移動を伴う操作として検知する。この場合の接触は、下から上へ、隣接するセンサ素子を３つ遷移する接触のため、（ｃ）のように上方に向かって項目ＬＳ４から項目ＬＳ１まで操作対象領域が３つ分移動する。【００４３】
同様に、同図（ａ）において矢印ＡＲ２に示す下から上の向き（時計回り方向）にセンサ素子がなぞられたとすると、（ｂ）で示したように各センサ素子のうちセンサ素子Ｌ１、Ｌ２、Ｌ３、Ｌ４がこの順に接触を移動を伴う操作として検知する。この場合の接触は、矢印ＡＲ１と同じく下から上へ、隣接するセンサ素子を３つ遷移する接触のため、（ｃ）のように上方に向かって項目ＬＳ４から項目ＬＳ１まで操作対象領域が３つ分移動する。【００４４】
このように、センサ素子を左右対称に第１のセンサ素子群と第２のセンサ素子群に分けることにより、左右対称の操作性が提供され、利き手によらない操作性が実現されることとなり、便利である。また、かかる左右対称の構成および操作性を提供しているがため、例えば左手でサブ表示部ＥＬＤの左側に配置された第１のセンサ素子群Ｇ１を、そして右手でサブ表示部ＥＬＤの右側に配置された第２のセンサ素子群Ｇ２を操作することもできる。この場合、操作をする手がサブ表示部ＥＬＤを跨って第１のセンサ素子群または第２のセンサ素子群を操作する構成とはならないため、操作をする手がサブ表示部ＥＬＤにかかって操作しにくくなるといった弊害を抑制することもできる。【００４５】
また、移動操作の操作方向と、当該方向により連続的に選択される複数の選択肢の表示方向とが一致するため、操作性が向上する。【００４６】
図１１および図１２は、センサ素子群が、サブ表示部の周囲に沿って上下に並べて配置されているときに、センサ素子上をユーザがなぞった場合のサブ表示部の応答を説明する図である。図１１（ａ）において矢印ＡＲ１に示す右から左の向き（時計回り方向）にセンサ素子がなぞられたとすると、（ｂ）で示したように各センサ素子のうちセンサ素子Ｒ１、Ｒ２、Ｒ３、Ｒ４がこの順に接触を検知する。この場合の接触は、右から左へ、隣接するセンサ素子を３つ遷移する接触のため、（ｃ）のように左方向に項目ＬＳ１から項目ＬＳ４まで操作対象領域が３つ分移動する。【００４７】
同様に、同図（ａ）において矢印ＡＲ２に示す右から左の向き（反時計回り方向）にセンサ素子がなぞられたとすると、（ｂ）で示したように各センサ素子のうちセンサ素子Ｌ４、Ｌ３、Ｌ２、Ｌ１がこの順に接触を検知する。この場合の操作は、矢印ＡＲ１と同じく右から左へ、隣接するセンサ素子を３つ遷移する接触のため、（ｃ）のように左方向に項目ＬＳ１から項目ＬＳ４まで操作対象領域が３つ分移動する。【００４８】
図１２（ａ）において矢印ＡＲ１に示す左から右の向き（反時計回り方向）にセンサ素子がなぞられたとすると、（ｂ）で示したように各センサ素子のうちセンサ素子Ｒ４、Ｒ３、Ｒ２、Ｒ１がこの順に接触を検知する。この場合の操作は、左から右へ、隣接するセンサ素子を３つ遷移する接触のため、（ｃ）のように右方向に項目ＬＳ４から項目ＬＳ１まで操作対象領域が３つ分移動する。【００４９】
同様に、同図（ａ）において矢印ＡＲ２に示す左から右の向き（時計回り方向）にセンサ素子がなぞられたとすると、（ｂ）で示したように各センサ素子のうちセンサ素子Ｌ１、Ｌ２、Ｌ３、Ｌ４がこの順に接触を検知する。この場合の操作は、矢印ＡＲ１と同じく左から右へ、隣接するセンサ素子を３つ遷移する接触のため、（ｃ）のように右方向に項目ＬＳ４から項目ＬＳ１まで操作対象領域が３つ分移動する。【００５０】
このように、センサ素子を上下対称に第１のセンサ素子群と第２のセンサ素子群に分けることにより、上下対称の操作性が提供され、利き手によらない操作性が実現されることになり、便利である。また、移動操作の操作方向と、当該方向により連続的に選択される複数の選択肢の表示方向とが一致するため、操作性が向上する。【００５１】
上述のように本発明は、センサ素子が、複数のセンサ素子群に分けて構成されており、複数のセンサ素子群においてなされた移動を伴う操作の方向がそれぞれ同一であっても、当該複数のセンサ素子群に対応する選択動作制御を異ならせることが可能なため、操作性を向上させることができる。即ち、第１のセンサ素子群Ｇ１の領域に対する移動操作と、第２のセンサ素子群Ｇ２の領域に対する移動操作とは、前者が、時計回りの操作に対しては操作対象領域を上方向に向かって移動させ、反時計回りの操作に対しては操作対象領域を下方向に向かって移動させるための操作であるのに対し、後者が、時計回りの操作に対しては操作対象領域を下方向に向かって移動させ、反時計回りの操作に対しては操作対象領域を上方向に向かって移動させるための操作であり、それぞれ異なっている。つまり、操作性の幅を広げることができる。【００５２】
なお、本実施形態においては、所定の方向の移動操作は、時計回り方向または反時計回り方向のいずれかの方向の移動操作のことをさしており、移動操作の方向の同一性は、かかる２方向同士の同一性を判断する構成となっていたが、本発明においては、これに限られない。つまり、移動操作の方向は、時計回り方向または反時計回り方向のような円運動方向に限らず、直線運動方向であってもよい。その場合の方向の同一性は、直線運動方向の同一性で判断する。【００５３】
例えば、上述したように、棒状に配置されるセンサ素子群を複数の領域に区分けして配置した場合、一の領域に対する一方向への移動操作に係る選択動作制御と、他の領域に対する一方向への移動操作に係る選択動作制御と、を異ならせると共に、他の領域に対する多方向への移動操作に係る選択動作制御と、他の領域に対する他方向への移動操作に係る選択動作制御と、を異ならせる構成としても良い。なお、ここでの一方向と他方向との関係は、互いにベクトル成分が逆である関係と同義であるとする。【００５４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、本実施形態においては、センサ素子が複数のセンサ素子群に分けて構成され、複数のセンサ素子群の領域においてなされた移動を伴う操作の方向が同一である場合に、複数のセンサ素子群の領域に対応する選択動作を異ならせる構成となっていたが、本発明はこれに限定されず、さらに複数のセンサ素子群の領域においてなされた同一の方向に係る操作の移動速度に応じても複数のセンサ素子群の領域に対応する選択動作を異ならせるような構成であってもよい。
例えば、複数のセンサ素子群の領域においてなされた同一の方向に係る操作の移動速度が所定の速度以下の場合には複数のセンサ素子群それぞれに対応する選択動作を異ならせ、複数のセンサ素子群の領域においてなされた同一の方向に係る操作の移動速度が所定の速度よりも速い速度の場合には複数のセンサ素子群それぞれに対応する選択動作を異ならせないように構成してもよい。
より具体的には、例えば図５において、第１のセンサ素子群Ｇ１および第２のセンサ素子群Ｇ２においてそれぞれなされた操作の方向が時計回りの方向であると共に、その移動速度が所定の速度以下である場合には、第１のセンサ素子群Ｇ１においてなされた操作に対しては選択対象領域をサブ表示部ＥＬＤの表示方向に対して下から上に移動させ、第２のセンサ素子群Ｇ２においてなされた操作に対しては選択対象領域をサブ表示部ＥＬＤの表示方向に対して上から下に移動させることにより第１のセンサ素子群Ｇ１と第２のセンサ素子群Ｇ２それぞれに対応する選択動作を異ならせる。【００５５】
その一方で、第１のセンサ素子群Ｇ１および第２のセンサ素子群Ｇ２においてそれぞれなされた操作の方向が同じく時計回りの方向ではあると共に、その移動速度が所定の速度よりも速い速度である場合には、第１のセンサ素子群Ｇ１においてなされた操作に対しても選択対象領域をサブ表示部ＥＬＤの表示方向に対して下から上または上から下に移動させることにより、第１のセンサ素子群Ｇ１および第２のセンサ素子群Ｇ２それぞれに対応する選択動作を異ならせない。なお、このとき選択対象領域を下から上に移動させるか上から下に移動させるかは、当該操作がサブ表示部ＥＬＤの表示方向に対して上方向の操作を観念されるかまたは下方向を観念させるかにより決すればよい。即ち、時計回りの操作が第１のセンサ素子群Ｇ１から開始されてサブ表示部ＥＬＤの表示方向に対して上方向の操作を観念させる場合には選択対象領域をサブ表示部ＥＬＤの表示方向に対して下から上に移動させ、当該操作が第２のセンサ素子群Ｇ２から開始されてサブ表示部ＥＬＤの表示方向に対して下方向の操作を観念させる場合には選択対象領域をサブ表示部ＥＬＤの表示方向に対して上から下に移動させればよい。【００５６】
これにより、使用者は、センサ素子群Ｇ１、Ｇ２それぞれに対応する選択動作を、操作の移動速度に応じても制御することができ、操作性の幅は大きく向上する。特にこの場合、センサ素子群Ｇ１、Ｇ２は、サブ表示部ＥＬＤの表示方向に対して左右対称に円弧状に連続的に配されているため、使用者は、この２つのセンサ素子群Ｇ１、Ｇ２を、２つの半円で形成されたセンサ素子群の組み合わせとして利用するか、又は１つの円で形成されたセンサ素子群として利用するかを操作の移動速度に応じて選択することができ、２つに分けられたセンサ素子群Ｇ１、Ｇ２を好適に利用することができる。
なお、複数のセンサ素子群の領域に対応する選択動作の制御を移動速度に応じて異ならせる方法はこれに限らず、その他の方法であってもよい。【００５７】
また、各部材、各手段、各ステップなどに含まれる機能などは論理的に矛盾しないように再配置可能であり、複数の手段やステップなどを１つに組み合わせたり、或いは分割したりすることが可能である。例えば、実施例では、円環状に設けたセンサ素子レイアウトで説明したが、棒状やコ字状に配置されるセンサ素子群を複数の領域に区分けして配置させてもよい。また、実施例では、センサ素子が、２つのセンサ素子群に分けて構成されている場合について説明してあるが、センサ素子が、３つ以上のセンサ素子群に分けて構成されている場合についても本発明を適用することが可能である。さらに、実施例では、携帯電話端末を挙げて説明してあるが、電話以外の携帯無線端末、ＰＤＡ（パーソナルデジタルアシスタンス）、携帯ゲーム機、携帯オーディオプレイヤー、携帯ビデオプレイヤー、携帯電子辞書、携帯電子書籍ビューワーなどの携帯電子機器に幅広く本発明を適用することが可能である。
【関連出願へのクロスリファレンス】
【００５８】
本願は、日本国特許出願第２００６−２２９５３７号（２００６年８月２５日出願）の優先権の利益を主張し、これの全内容を参照により本願明細書に取り込むものとする。
【図１】
2008023546.tif 000003
【図２】
2008023546.tif 000004
【図３】
2008023546.tif 000005
【図４】
2008023546.tif 000006
【図５】
2008023546.tif 000007
【図６】
2008023546.tif 000008
【図７】
2008023546.tif 000009
【図８】
2008023546.tif 000010
【図９】
2008023546.tif 000011
【図１０】
2008023546.tif 000012
【図１１】
2008023546.tif 000013
【図１２】
2008023546.tif 000014
【図１３】
2008023546.tif 000015
【国際調査報告】
2008023546.tif 000016
2008023546.tif 000017
2008023546.tif 000018